(57)【特許請求の範囲】
【請求項１】
吸収性物品であって、
肌側及び非肌側の少なくとも一方の表面に、パターンを有する光沢層を備え、
前記光沢層が配置された領域である光沢層配置領域の光沢度は、前記光沢層の周囲の領域の光沢度よりも高く、
前記光沢層配置領域の光沢度は７以上であり、
前記光沢層は、箔で形成されている、
吸収性物品。
【請求項２】
吸収性物品であって、
肌側及び非肌側の少なくとも一方の表面に、パターンを有する光沢層を備え、
前記光沢層が配置された領域である光沢層配置領域の光沢度は、前記光沢層の周囲の領域の光沢度よりも高く、
前記光沢層配置領域の光沢度は７以上であり、
前記吸収性物品は、長手方向及び幅方向を有し、前記長手方向に沿って並ぶ腹側部、背側部及び股間部を有する使い捨ておむつであり、
前記使い捨ておむつの前記腹側部及び前記背側部のいずれか一方は、非肌側の表面に、前記光沢層を備え、
前記吸収性物品は、吸収体を備え、
前記腹側部及び前記背側部の少なくとも一方は、
前記幅方向の中央部に位置し、前記幅方向の伸縮性が低い低伸縮域と、
前記低伸縮域の前記幅方向の両側に隣接し、前記幅方向の伸縮性が高い一対の高伸縮域と、を含み、
平面視で、前記幅方向において、前記一対の高伸縮域の各々における内側の端縁は、前記吸収体における当該高伸縮域に対向する端縁よりも内側に位置し、
前記光沢層は、前記低伸縮域の非肌側に位置する、
吸収性物品。
【請求項３】
前記光沢層は、箔で形成されている、
請求項２に記載の吸収性物品。
【請求項４】
前記吸収性物品は、長手方向及び幅方向を有し、前記長手方向に沿って並ぶ腹側部、背側部及び股間部を有する使い捨ておむつであり、
前記使い捨ておむつの前記腹側部及び前記背側部のいずれか一方は、非肌側の表面に、前記光沢層を備える、
請求項１に記載の吸収性物品。
【請求項５】
前記腹側部は、非肌側の表面にターゲットテープを備え、
前記背側部は、前記幅方向の両端部に、前記ターゲットテープに係合するための一対の係合テープを備え、
前記光沢層は、前記ターゲットテープが配置されたターゲットテープ領域に位置する、
請求項２又は４に記載の吸収性物品。
【請求項６】
前記腹側部は、非肌側に位置するターゲットテープを備え、
前記ターゲットテープは、ターゲットテープ領域に配置され、
前記背側部は、前記幅方向の両端部に位置し、前記ターゲットテープに係合する一対の係合テープを備え、
前記光沢層は、前記一対の係合テープの非肌側に位置する、
請求項２又は４に記載の吸収性物品。
【請求項７】
前記一対の係合テープの各々は、非肌側の表面に、他のパターンを有する他の光沢層を備え、
前記光沢層は、前記ターゲットテープ領域の前記幅方向の中央部分に位置しており、
前記使い捨ておむつの着用時に、前記幅方向において、前記ターゲットテープ領域における前記中央部分の両側に位置する両側部分の前記ターゲットテープに前記一対の係合テープが係合される、
請求項５又は６に記載の吸収性物品。
【請求項８】
前記光沢層は、
基材と、
前記基材上に位置し、前記パターンを構成し、光沢を有する光沢形成層と、を含み、
前記基材は、前記ターゲットテープの一部であり、
前記光沢形成層は、前記ターゲットテープの前記幅方向の中央部分に配置されている、
請求項５乃至７のいずれか一項に記載の吸収性物品。
【請求項９】
前記ターゲットテープは、
前記ターゲットテープ領域の前記幅方向の一方側に位置する第１テープ部と、
前記ターゲットテープ領域の前記幅方向の他方側に位置し、前記第１テープ部と離間する第２テープ部と、を含み、
前記光沢層は、
基材と、
前記基材上に位置し、前記パターンを構成し、光沢を有する光沢形成層と、を含み、
前記光沢形成層は、前記幅方向において、前記第１テープ部と前記第２テープ部との間に位置する、
請求項５乃至７のいずれか一項に記載の吸収性物品。
【請求項１０】
前記基材は、不織布で構成され、
前記不織布は、前記光沢形成層と反対側の面に積層されたフィルムを含む、
請求項８又は９に記載の吸収性物品。
【請求項１１】
前記吸収性物品は、吸収体を備え、
前記腹側部及び前記背側部の少なくとも一方は、
前記幅方向の中央部に位置し、前記幅方向の伸縮性が低い低伸縮域と、
前記低伸縮域の前記幅方向の両側に隣接し、前記幅方向の伸縮性が高い一対の高伸縮域と、を含み、
平面視で、前記幅方向において、前記一対の高伸縮域の各々における内側の端縁は、前記吸収体における当該高伸縮域に対向する端縁よりも内側に位置し、
前記光沢層は、前記低伸縮域の非肌側に位置する、
請求項２又は４に記載の吸収性物品。
【請求項１２】
前記吸収性物品は、前記背側部の前記幅方向の中央部の非肌面側の表面に配置された後処理テープ、を備え、
前記光沢層は、前記後処理テープの非肌側に位置する、
請求項２又は４に記載の吸収性物品。
【発明の詳細な説明】
【技術分野】
【０００１】
本発明は、吸収性物品及びその製造方法に関する。
【背景技術】
【０００２】
外表面に文字や模様や図案のようなパターンを有する吸収性物品が知られている。そのようなパターンは、例えば、吸収性物品の非肌側の表面に位置しており、吸収性物品の前側又は後側の部分や吸収性物品のサイズなどを示すために用いられる。そのような吸収性物品として、特許文献１に使い捨ておむつが開示されている。
【先行技術文献】
【特許文献】
【０００３】
【特許文献１】特開２００７−２３６９６７号公報
【発明の概要】
【発明が解決しようとする課題】
【０００４】
吸収性物品の交換は、明るさが十分にある環境、例えば明るい室内で行うことが好ましい。吸収性物品のサイズや、前側又は後側の部分などを確認し易いからである。しかし、例えば、深夜の室内で、周囲に睡眠中の人がいて、照明を明るくし難い場合のように、明るさが十分でない環境で吸収性物品の交換を行わなければならない場合がある。そのような場合としては、例えば、一つの部屋に、複数の家族が就寝している場合や、複数の被介護者が生活している場合や、複数の患者が入院している場合などが挙げられる。その場合、照明を明るくできないので、吸収性物品が非肌側の表面にパターンを有していても、はっきりと確認することは困難である。もちろん、暗い環境なので吸収性物品の外観を視認することも難しい。そのため、吸収性物品の交換時に、吸収性物品の前側又は後側の部分や、サイズなどを間違えるおそれがある。
【０００５】
本発明の目的は、明るさが十分でない環境においても表面に示される表示を視認でき、吸収性物品交換を容易にすることが可能な吸収性物品及びその吸収性物品の製造方法を提供することにある。
【課題を解決するための手段】
【０００６】
本発明の吸収性物品は次のとおりである。（１）吸収性物品であって、肌側及び非肌側の少なくとも一方の表面に、パターンを有する光沢層を備え、前記光沢層が配置された領域である光沢層配置領域の光沢度は、前記光沢層の周囲の領域の光沢度よりも高く、前記光沢層配置領域の光沢度は７以上である、吸収性物品。
【０００７】
本発明の吸収性物品の製造方法は次のとおりである。（１）非肌側の表面に位置し、パターンを有する光沢層を備える吸収性物品の製造方法であって、非肌側の表面用のシート部材の表面を平滑化する平滑化工程と、前記平滑化された前記連続シートの表面に、パターンを有する光沢層を形成する形成工程と、を備え、前記光沢層を含む光沢層配置領域の光沢度は７以上である、吸収性物品の製造方法。
【発明の効果】
【０００８】
本発明によれば明るさが十分でない環境においても表面に示される表示を視認でき、吸収性物品交換を容易にすることが可能な吸収性物品及びその吸収性物品の製造方法を提供することができる。
【図面の簡単な説明】
【０００９】
【図１】実施形態に係る吸収性物品の構成例を示す平面図である。
【図２】実施形態に係る吸収性物品の構成例を示す下面図である。
【図３】図１のＩＩＩ−ＩＩＩ線に沿う断面図である。
【図４】実施形態に係る吸収性物品の使用例を示す模式図である。
【図５】実施形態に係る吸収性物品の他の構成例を示す断面図である。
【図６】実施形態に係る吸収性物品の他の構成例を示す断面式図である。
【図７】実施形態に係る吸収性物品の他の構成例を示す断面面図である。
【図８】別の実施形態に係る吸収性物品の構成例を示す平面図である。
【図９】別の実施形態に係る吸収性物品の構成例を示す部分拡大下面図である。
【図１０】別の実施形態に係る吸収性物品の構成例を示す部分拡大下面図である。
【発明を実施するための形態】
【００１０】
本実施形態は、以下の態様に関する。
［態様１］吸収性物品であって、肌側及び非肌側の少なくとも一方の表面に、パターンを有する光沢層を備え、前記光沢層が配置された領域である光沢層配置領域の光沢度は、前記光沢層の周囲の領域の光沢度よりも高く、前記光沢層配置領域の光沢度は７以上である、吸収性物品。
この吸収性物品では、肌側及び非肌側の少なくとも一方の表面に光沢層が配置されており、光沢層を含む光沢層配置領域の光沢度が７以上である。そのため、照明を明るくできない暗い環境においても、わずかな光で光沢層のパターンを容易に把握することができる。それゆえ、例えば、予めパッケージなどでパターンの意味を表示しておくことで、明るさが十分でない環境下で吸収性物品を交換するとき、例えば、パターンで示される吸収性物品の前側又は後側の部分や、肌側又は非肌側や、サイズなどを把握し易くすることができる。したがって、明るさが十分でない環境においても吸収性物品の交換を容易にすることができる。更に、この吸収性物品では、明るさが十分ある明るい環境では、光沢層の光沢により、光沢層の無い場合と比較して、一目見るだけで、吸収性物品の前側又は後側の部分などを確実に把握することができるほか、光沢感があることで吸収性物品に高級感やプレミアム感を付与することもできる。
【００１１】
［態様２］前記光沢層は、箔で形成されている、態様１に記載の吸収性物品。
この吸収性物品では、光沢層が箔で形成されているので、光沢層配置領域の光沢度が下地の凹凸の影響を受けることを抑制できる。それにより、吸収性物品を使用しようとするとき、照明を明るくできない環境においても、光沢層を容易に確認することができる。したがって、明るさが十分でない環境においても吸収性物品の交換を容易にできる。
【００１２】
［態様３］前記吸収性物品は、長手方向及び幅方向を有し、前記長手方向に沿って並ぶ腹側部、背側部及び股間部を有する使い捨ておむつであり、前記使い捨ておむつの前記腹側部及び前記背側部のいずれか一方は、非肌側の表面に、前記光沢層を備える、態様１又は２に記載の吸収性物品。
この吸収性物品では、使い捨ておむつの腹側部及び背側部のいずれか一方が、非肌側の表面に光沢層を備えている。それゆえ、例えば、予めパッケージなどでパターンが腹側部及び背側部のいずれに位置するかを表示しておくことで、照明を明るくできない環境においても、使い捨ておむつの前側の部分（腹側部）及び後側の部分（背側部）を把握し易くすることができる。
【００１３】
［態様４］前記腹側部は、非肌側の表面にターゲットテープを備え、前記背側部は、前記幅方向の両端部に、前記ターゲットテープに係合するための一対の係合テープを備え、前記光沢層は、前記ターゲットテープが配置されたターゲットテープ領域に位置する、態様３に記載の吸収性物品。
この吸収性物品では、光沢層がターゲットテープ領域に位置している。それゆえ、照明を明るくできない環境においても、使い捨ておむつのターゲットテープの位置を容易に認識することができ、それにより、一対の係合テープをターゲットテープに容易に係合することができる。そして、係合テープをターゲットテープ以外の部分に係合してしまい、係合テープが外れてしまうトラブルを回避できる。
【００１４】
［態様５］前記腹側部は、非肌側に位置するターゲットテープを備え、前記ターゲットテープは、ターゲットテープ領域に配置され、前記背側部は、前記幅方向の両端部に位置し、前記ターゲットテープに係合する一対の係合テープを備え、前記光沢層は、前記一対の係合テープの非肌側に位置する、態様３記載の吸収性物品。
この吸収性物品では、光沢層が一対の係合テープに位置している。それゆえ、照明を明るくできない環境においても、使い捨ておむつの一対の係合テープの位置を容易に認識することができる。特に、一対の係合テープは使い捨ておむつの交換時に体の下に敷き込まれ易く、照明を明るくできない環境では視認が難しい。それゆえ、一対の係合テープが光沢層により視認し易くなることで、吸収性物品の交換を容易にすることができる。
【００１５】
［態様６］前記一対の係合テープの各々は、非肌側の表面に、他のパターンを有する他の光沢層を備え、前記光沢層は、前記ターゲットテープ領域の前記幅方向の中央部分に位置しており、前記使い捨ておむつの着用時に、前記幅方向において、前記ターゲットテープ領域における前記中央部分の両側に位置する両側部分の前記ターゲットテープに前記一対の係合テープが係合される、態様４又は５に記載の吸収性物品。
この吸収性物品では、使い捨ておむつの着用時に、ターゲットテープ領域における幅方向の両側部分に一対の係合テープが係合される。すなわち、幅方向において、ターゲットテープ領域において、中央部分に光沢層が位置し、その両側に他の光沢層が位置するように使い捨ておむつを着用することで、正しく着用できたことになる。このように、この吸収性物品では、ターゲットテープ上の最適な位置に一対の係合テープを配置するように誘導できる。そのため、照明を明るくできない環境においても、使い捨ておむつのターゲットテープ及び一対の係合テープの位置をそれぞれ容易に認識して、一対の係合テープをターゲットテープに最適な位置に容易に係合することができる。そして、このとき、ターゲットテープ上に幅方向に沿って、他の光沢層、光沢層及び他の光沢層がこの順で並ぶことで、係合したときに初めて完成されるパターン表現を用いて、高いデザイン性と高級感を演出することができる。
【００１６】
［態様７］前記光沢層は、基材と、前記基材上に位置し、前記パターンを構成し、光沢を有する光沢形成層と、を含み、前記基材は、前記ターゲットテープの一部であり、前記光沢形成層は、前記ターゲットテープの前記幅方向の中央部分に配置されている、態様４乃至６のいずれか一項に記載の吸収性物品。
この吸収性物品では、光沢層の光沢形成層がターゲットテープ（基材）に支持されている。そのため、光沢形成層の平滑性が、下地の凹凸の影響を受けることを抑制でき、光沢形成層の光沢を維持できる。それゆえ、光沢層配置領域の光沢度が、光沢形成層の下地の凹凸の影響を受けることを抑制できる。それにより、吸収性物品を使用しようとするとき、照明を明るくできない環境においても、光沢層を容易に確認することができる。したがって、明るさが十分でない環境においても吸収性物品の交換を容易にすることができる。また、ターゲットテープに、光沢形成層を形成したことで、光沢形成層を視認した後、光沢形成層及びその周囲の上に係合テープを係合でき、係合のためにより広い領域を確保できる。これにより、ターゲットテープと係合テープとの係合をより安定化できる。
【００１７】
［態様８］前記ターゲットテープは、前記ターゲットテープ領域の前記幅方向の一方側に位置する第１テープ部と、前記ターゲットテープ領域の前記幅方向の他方側に位置し、前記第１テープ部と離間する第２テープ部と、を含み、前記光沢層は、基材と、前記基材上に位置し、前記パターンを構成し、光沢を有する光沢形成層と、を含み、前記光沢形成層は、前記幅方向において、前記第１テープ部と前記第２テープ部との間に位置する、態様４乃至６のいずれか一項に記載の吸収性物品。
この吸収性物品では、光沢層の光沢形成層が基材に支持されている。そのため、光沢層配置領域の光沢度が、光沢形成層の下地の凹凸の影響を受けることを抑制できる。それにより、吸収性物品を使用しようとするとき、照明を明るくできない環境においても、光沢層を容易に確認することができる。したがって、明るさが十分でない環境においても吸収性物品の交換を容易にすることができる。また、ターゲットテープ（第１テープ部＋第２テープ部）でない基材に光沢形成層を形成したことで、光沢形成層の上に係合テープを係合することがない。これにより、係合による光沢形成層の剥がれや、係合したあと光沢形成層が見えなくなることを抑制できる。
【００１８】
［態様９］前記基材は、不織布で構成され、前記不織布は、前記光沢形成層と反対側の面に積層されたフィルムを含む、態様７又は８に記載の吸収性物品。
この吸収性物品では、基材は、フィルムを積層（ラミネート）された不織布で構成されている。そのため、光沢形成層の平滑性が、基材よりも下方の下地の凹凸の影響を受けることをより抑制でき、光沢形成層の光沢をより維持できる。光沢層配置領域の光沢度が、基材よりも下方の下地の凹凸の影響を受けることをより抑制できる。すなわち、フィルムが無い場合と比較して、光沢層の光沢度を高めることができる。それにより、吸収性物品を使用しようとするとき、照明を明るくできない環境においても、光沢層をより容易に確認することができる。
【００１９】
［態様１０］前記吸収性物品は、吸収体を備え、前記腹側部及び前記背側部の少なくとも一方は、前記幅方向の中央部に位置し、前記幅方向の伸縮性が低い低伸縮域と、前記低伸縮域の前記幅方向の両側に隣接し、前記幅方向の伸縮性が高い一対の高伸縮域と、を含み、平面視で、前記幅方向において、前記一対の高伸縮域の各々における内側の端縁は、前記吸収体における当該高伸縮域に対向する端縁よりも内側に位置し、前記光沢層は、前記低伸縮域の非肌側に位置する、態様３に記載の吸収性物品。
この吸収性物品では、光沢層が腹側部及び背側部の少なくとも一方の低伸縮域の非肌側に位置している。それゆえ、光沢層の収縮を抑制し、凹凸や皺を形成し難くすることができる。そのため、照明を明るくできない環境においても、使い捨ておむつの腹側部又は背側部の位置を容易に認識することができ、吸収性物品の交換を容易にできる。
【００２０】
［態様１１］前記吸収性物品は、前記背側部の前記幅方向の中央部の非肌面側の表面に配置された後処理テープ、を備え、前記光沢層は、前記後処理テープの非肌側に位置する、態様３に記載の吸収性物品。
この吸収性物品では、光沢層が後処理テープに位置している。それゆえ、照明を明るくできない環境においても、使い捨ておむつの後処理テープの位置を容易に認識することができる。それにより、使い捨ておむつの交換時に、使用済みのおむつを丸めた状態で、後処理テープで適切に処置することができで、吸収性物品の交換を容易にできる。
【００２１】
［態様１２］非肌側の表面に位置し、パターンを有する光沢層を備える吸収性物品の製造方法であり、非肌側の表面用のシート部材の表面を平滑化する平滑化工程と、前記平滑化された前記シート部材の表面に、パターンを有する光沢層を形成する形成工程と、を備え、前記光沢層を含む光沢層配置領域の光沢度は７以上である、吸収性物品の製造方法。
この吸収性物品の製造方法では、シート部材の表面を平滑化してから、光沢層を形成するので、光沢層を含む光沢層配置領域の光沢度を確実に７以上にすることができる。そのため、明るさが十分でない環境においても吸収性物品の交換を容易にすることができる吸収性物品を製造できる。
【００２２】
以下、実施形態に係る吸収性物品について説明する。ただし、第１実施形態ではテープ型おむつを吸収性物品の例とし、第２実施形態ではパンツ型おむつを吸収性物品の例として、それぞれ説明する。なお、吸収性物品の種類はこの例に限定されるものではなく、本発明の趣旨の範囲を逸脱しない限り、他の吸収性物品でもよい。他の吸収性物品としては、生理用ナプキン、失禁パッドなどが挙げられる。
【００２３】
（第１実施形態）
図１〜図３は実施形態に係るテープ型おむつ１の構成例を示す図である。図１はテープ型おむつ１を展開した状態を示す平面図であり、図２はその下面図（非肌側から見た図）であり、図３は図１のＩＩＩ−ＩＩＩ線に沿った断面図である。図４は、実施形態に係るテープ型おむつ１の使用例を示す模式図である。
【００２４】
テープ型おむつ１は、図１に示す状態において、互いに直交する長手方向Ｌ、幅方向Ｗ及び厚さ方向Ｔを有し、幅方向Ｗの中心を通り長手方向Ｌに延びる長手方向中心線ＣＬと、長手方向Ｌの中心を通り幅方向Ｗに延びる幅方向中心線ＣＷとを有する。長手方向中心線ＣＬに近づく向き及び側をそれぞれ幅方向Ｗの内向き及び内側とし、遠ざかる向き及び側をそれぞれ幅方向Ｗの外向き及び外側とする。幅方向中心線ＣＷに近づく向き及び側をそれぞれ長手方向Ｌの内向き及び内側とし、遠ざかる向き及び側をそれぞれ長手方向Ｌの外向き及び外側とする。また、長手方向Ｌにおける、装着者の腹部に対応するテープ型おむつ１の端縁（腹側の端縁）に向かう側を長手方向Ｌの前側ともいい、装着者の背中に対応するテープ型おむつ１の端縁（背側の端縁）に向かう側を長手方向Ｌの後側ともいう。「平面視」とは長手方向Ｌ及び幅方向Ｗを含む平面に展開した状態のテープ型おむつ１を厚さ方向Ｔの上方側から見ることをいい、「平面形状」とは平面視で把握される形状をいう。「平面方向」とは幅方向Ｗ及び長手方向Ｌを含む面と平行な任意の方向である。「肌側」及び「非肌側」とはテープ型おむつ１が装着者に装着されたときに、厚さ方向Ｔにおいて相対的に装着者の肌面に近くなる側及び遠くなる側をそれぞれ意味する。これら定義はテープ型おむつ１や後述のパンツ型おむつ１ａだけでなく、それらに配置された各資材にも共通に用いる。なお、部材や構造や形状などが「長手方向Ｌに沿う」とは、部材等が長手方向Ｌに平行な場合だけでなく、部材等の長手方向Ｌの成分Ｄｘが、部材等の幅方向Ｗの成分Ｄｙよりも大きい場合も含んでいる。同様に、部材等が「幅方向Ｗに沿う」とは、部材等が幅方向Ｗに平行な場合だけでなく、部材等の幅方向Ｗの成分Ｄｙが、部材等の長手方向Ｌの成分Ｄｘよりも大きい場合も含んでいる。曲線状や曲面状の部材等に関しては、曲線等上の各点の接線について、部材等を上記のように評価する。
【００２５】
図１に示すように、テープ型おむつ１は、長手方向Ｌに沿って並んだ、前側に位置する腹側部２と、後側に位置する背側部３と、腹側部２と背側部３との間に位置する股間部４と、を有する（に区画される）。腹側部２は、装着者の腹部に当接する部分である。背側部３は、装着者の尻部又は背部に当接する部分である。股間部４は装着者の股間に当接する部分であり、幅方向Ｗの内側に括れている。テープ型おむつ１は、吸収性本体１０と、一対の係合テープ７ａ、７ｂと、ターゲットテープ１８（１８ａ、１８ｂ）と、を備える。吸収性本体１０は、吸収体１４を含み、長手方向Ｌには腹側部２から股間部４を介して背側部３までの範囲に位置し、幅方向Ｗには一対の係合テープ７ａ、７ｂを除く両端部までの範囲に位置する。一対の係合テープ７ａ、７ｂは、非肌側において、背側部３における幅方向Ｗの両端部に位置し、両端部から外側に延出している。一対の係合テープ７ａ、７ｂは、背側部３における幅方向Ｗの両側の部分、すなわち一対の側部３Ｆ、３Ｆに連結される。一対の係合テープ７ａ、７ｂ及び一対の側部３Ｆ、３Ｆの少なくとも一方は伸縮可能である。ターゲットテープ１８は、非肌側において、ターゲットテープ配置領域ＡＡに配置されている。ターゲットテープ配置領域ＡＡは、腹側部２における幅方向Ｗの中央部に位置し、幅方向Ｗに延在する領域である。ターゲットテープ領域ＡＡの中央部分には、光沢層５０が配置されている。本実施形態では、一対の係合テープ７ａ、７ｂも非肌側の表面にそれぞれ他の光沢層５２ａ、５２ｂを備えている。
【００２６】
テープ型おむつ１は、例えば、装着者の背中に背側部３を当接し、腹部に腹側部２を当接した後、図４に示すように、背側部３の一対の係合テープ７ａ、７ｂを腹側部２のターゲットテープ１８の両側に連結させることで、おむつとして装着者に装着される。一対の係合テープ７ａ、７ｂは、例えばファスニングテープや面ファスナーのフックが挙げられる。それに対応して、ターゲットテープ１８（１８ａ、１８ｂ）としては例えば不織布や面ファスナーのループが挙げられる。この場合、テープ型おむつ１では、例えば、長手方向Ｌの前側１／３の領域を腹側部２とし、後側１／３の領域を背側部３とし、中央の１／３を股間部４とすることができる。腹側部２の長手方向Ｌの外側の端部２ｅと背側部３の長手方向Ｌの外側の端部３ｅとにより装着者の腰が通るウエスト開口部が画定される。また、テープ型おむつ１では、股間部４における幅方向Ｗの両側の側部５ｅ、５ｅにより装着者の脚が通る一対のレッグ開口部が画定される。なお、股間部４は幅方向Ｗの内側に括れなくてもよい。係合テープ７及び側部３Ｆは伸縮しなくてもよい。
【００２７】
本実施形態では、吸収性本体１０は、液透過性の表面シート１２と、液不透過性の裏面シート１３と、表面シート１２と裏面シート１３との間に位置し、液を吸収・保持する吸収体１４と、を含む。表面シート１２として、例えば液透過性の不織布や織布、液透過孔が形成された合成樹脂フィルム、これらの複合シートなどが挙げられる。裏面シート１３として、例えば液不透過性の不織布や合成樹脂フィルム、これらの複合シートが挙げられる。吸収体１４は、液を吸収し保持する吸収コア１４ａと、吸収コア１４ａを覆う液透過性の上側コアラップ１４ｂ及び下側コアラップ１４ｃと、を含む。吸収体１４と表面シート１２及び裏面シート１３とはそれぞれ接着剤により接合され、表面シート１２と裏面シート１３とはそれらの周縁部分において接着剤により接合される。接着剤はテープ型おむつで公知の材料、例えばホットメルト接着剤が挙げられる。吸収性本体１０の形状は、特に限定されず、公知のテープ型おむつの吸収性本体１０に用いられる形状を採用できる。吸収体１４はコアラップを有さなくてもよい。
【００２８】
本実施形態では、吸収性本体１０は、肌側の表面において、幅方向Ｗの両側に位置し、長手方向Ｌに延びる一対のサイドシート１７、１７を含む。各サイドシート１７は、幅方向Ｗの内側において、長手方向Ｌに沿って、固定部１５と、防漏壁１６と、固定部１５と、を有する。固定部１５、１５は、サイドシート１７における長手方向Ｌの前側及び後側の端部に位置し、吸収性本体１０に固定されている。防漏壁１６は、サイドシート１７における長手方向Ｌの前側及び後側の固定部１５、１５の間に位置し、幅方向Ｗの外側の端縁を吸収性本体１０に固定され、幅方向Ｗの内側の端縁を非固定とされている。各防漏壁１６は、幅方向Ｗの内側の端部に、長手方向Ｌに沿って延びる二本の弾性部材６１を含む。弾性部材６１は糸ゴムに例示される。各サイドシート１７、１７は疎水性シート、例えば疎水性不織布で形成される。
【００２９】
本実施形態では、テープ型おむつ１は、裏面シート１３の非肌側に、液不透過性の外装シート５を備える。外装シート５と裏面シート１３とは厚さ方向Ｔに積層され、接着剤等で互いに接合される。外装シート５の周縁部分と一対のサイドシート１７、１７の周縁部分とは厚さ方向Ｔに積層され、接着剤等で互いに接合される。なお、裏面シート１３が省略され、吸収体１４及び表面シート１２の周縁部分が外装シート５に接合されてもよい。逆に、外装シート５が省略され、一対のサイドシート１７、１７の周縁部分が裏面シート１３の周縁部分に接合されてもよい。外装シート５としては、例えば液不透過性の不織布や合成樹脂フィルム、これらの複合シート、スパンボンド不織布、ＳＭＳ不織布など、任意の液不透過性シートが挙げられる。外装シート５の材料としては、例えばポリプロピレンやポリエチレンなどのポリオレフィン系材料が挙げられる。外装シート５の坪量は、例えば５〜１００ｇ／ｍ２であり、好ましくは１０〜５０ｇ／ｍ２である。外装シート５の厚さ方向Ｔの寸法（厚さ）としては、例えば０．１〜５ｍｍであり、好ましくは０．１〜２ｍｍである。なお、外装シート５は二枚以上の積層体でもよい。
【００３０】
本実施形態では、吸収性本体１０は、背側部３に、伸縮部材６を更に備える。伸縮部材６は、幅方向Ｗに伸縮可能なシート状の部材であり、背側部３の幅方向Ｗの中央に長手方向中心線ＣＬを跨ぐように配置される。伸縮部材６は、例えば、一対の係合テープ７、７の幅方向Ｗの間に配置される。伸縮部材６は、例えばウェストギャザーとして機能する。更に、テープ型おむつ１は、股間部４から背側部３及び腹側部２にレッグギャザー用の複数の弾性部材８を備える。複数の弾性部材８は、一対のサイドシート１７、１７と外装シート５との間において、主に股間部４の幅方向Ｗの両端部を長手方向Ｌに沿って延設される。弾性部材８は、レッグ開口部を伸縮させるものであり、糸ゴムに例示される。
【００３１】
次に、図２〜図４を参照して、光沢層５０について更に説明する。
【００３２】
テープ型おむつ１は、非肌側の表面に、パターンを有する光沢層５０を備えている。光沢層５０が配置された領域である光沢層配置領域の光沢度は、光沢層５０の周囲の領域の光沢度よりも高い。光沢層配置領域の光沢度は７以上である。なお、テープ型おむつ１は、パターンを有する光沢層５０を、肌側の表面に備えてもよく、腹側部２、背側部３及び股間部４のいずれの部分に備えてもよい。
【００３３】
このようにテープ型おむつ１では、肌側及び非肌側の少なくとも一方の表面に光沢層５０が配置され、光沢層５０を含む光沢層配置領域の光沢度が７以上である。そのため、照明を明るくできない環境においても、わずかな光で光沢層５０のパターンを容易に把握することができる。そのとき、例えば、パッケージなどに表示されたパターンの意味を予め知っておくことで、照明を明るくできない環境下でテープ型おむつ１を交換するとき、パターンで示される意味を容易に把握することができる。具体例としては、光沢層５０の特定のパターンが腹側部２（前側の部分）／背側部３（後側の部分）の位置を示す場合、テープ型おむつ１の腹側部２（前側の部分）／背側部３（後側の部分）の位置を容易に把握することができる。また、光沢層５０の特定のパターンがテープ型おむつ１の表側（肌側）／裏側（非肌側）を示す場合、テープ型おむつ１の表側（肌側）／裏側（非肌側）を容易に把握することができる。また、光沢層５０の特定のパターンが特定のサイズを示す場合、テープ型おむつ１のサイズを容易に把握することができる。それゆえ、明るさが十分でない環境においてもテープ型おむつ１の交換を誤りなく容易に行うことができる。なお、特定のパターンが前側の部分等や肌側等やサイズを示すとは、例えば、特定のパターンが前側等や肌側等やサイズを示すために予め設定された文字や形状や図柄を有する場合や、特定のパターンが前側等や肌側等やサイズを示すための予め設定された位置に存在する場合などが挙げられる。
【００３４】
本実施形態では、光沢層５０は、ターゲットテープ１８が配置された領域であるターゲットテープ領域ＡＡに位置している。そのため、照明を明るくできない環境においても、テープ型おむつ１のターゲットテープ１８の位置を容易に認識することができ、更にテープ型おむつ１の表側（肌側）／裏側（非肌側）を容易に認識することができる。それにより、照明を明るくできない環境においても、一対の係合テープ７ａ、７ｂをターゲットテープ１８に容易に係合することができる。そして、一対の係合テープ７ａ、７ｂをターゲットテープ１８以外の他の部分に係合してしまい、一対の係合テープ７ａ、７ｂが外れてしまうトラブルを回避できる。
【００３５】
ただし、光沢度は、ＪＩＳ  Ｚ  ８７４１（１９９７）：鏡面光沢度、に基づいてグロスチェッカーＩＧ−３３１（株式会社堀場製作所製）で計測される。グロスチェッカーＩＧ−３３１における入射角及び受光角はいずれも６０℃であり、測定面積は長径６ｍｍ×短径３ｍｍの楕円である。また、パターンは、文字や模様や図案のような任意の図形であり、一続きの図形であってもよいし、複数の図形の集合でもよいし、中抜きの図形でもよい。また、光沢層配置領域は、光沢層５０を含むグロスチェッカーの測定面積の領域とする。光沢層配置領域は、光沢層５０がグロスチェッカーの測定面積よりも小さい場合、光沢層５０全体を含む領域とし、光沢層５０がグロスチェッカーの測定面積よりも大きい場合、光沢層５０の一部（測定面積と同じ面積）を含む領域とする。また、光沢層５０の周囲の領域とは、光沢層５０を含む最小面積の矩形を囲む環状の領域であり、その環の幅は、グロスチェッカーの測定面積の最大幅とする。また、一般に、室内の明るさは、月明りで約０．１〜１ルクス、豆電球で１０ルクス以下、リビング照明で４００〜５００ルクスなので、「明るさが十分でない環境」や「照明を明るくできない環境」は、豆電球による明るさの環境とし、具体的には８〜１０ルクスの明るさの環境とする。
【００３６】
光沢層配置領域の光沢度は、７以上であり、好ましくは１０以上であり、より好ましくは２０以上であり、更に好ましくは３０以上である。光沢層配置領域の光沢度が小さ過ぎると、明るさが十分でない環境で、光沢層５０のパターンを視認することが困難となる。このように光沢度を高める観点から、光沢層５０は金属光沢を有することが好ましい。
【００３７】
光沢層５０の色は、明るさが十分でない環境で、所定の光沢度を示すことができれば、特に制限はないが、光沢度を高くし易い観点から、金属光沢を示す色、例えば、金色、銀色（と視認できる色）が好ましく、特に金色が好ましい。金色の光沢がある場合、更に高級感を付与することもできる。ただし、金色や銀色を金又は銀で実現する必要はなく、他の材料で疑似的に金色や銀色を実現すればよい。
所定の光沢度を示し得る金色、銀色の好ましい色味領域としては、ＰＡＮＴＯＮＥ（登録商標）のＭｅｔａｌｌｉｃ  Ｃｏａｔｅｄ  ＣＨＩＰＳの色領域において、下記の色味が好ましい。
すなわち、ＰＡＮＴＯＮＥ（登録商標）：１０１０１Ｃ，１０１０２Ｃ，１０１０３Ｃ，１０１０４Ｃ，１０１０５Ｃ，１００７７Ｃ，１０１０６Ｃ，１０１０７Ｃ，１０１０８Ｃ，１０１０９Ｃ，１０１１０Ｃ，１０１１１Ｃ，１０１１２Ｃ，１０１１３Ｃ，１０１１４Ｃ，１０１１５Ｃ，１０１１６Ｃ，１０１１７Ｃ，１０１１８Ｃ，１０１１９Ｃ，１０１２０Ｃ，１０１２１Ｃ，１０１２２Ｃ，１０１２３Ｃ，１０１２４Ｃ，１０１２５Ｃ，１０１２６Ｃ，１０１２７Ｃ，１０１２８Ｃ，１０１３０Ｃ，１０１３１Ｃ，１０１３２Ｃ，１０１３６Ｃ，１０１３７Ｃ，１０１３８Ｃ，１０１４２Ｃ，１０１４３Ｃ，１０４０３Ｃ，１０４０４Ｃ，１０４０５Ｃ，１０４０６Ｃ，１０４０７Ｃ，１０４０８Ｃ，１０４０９Ｃ，１０１９０Ｃ，１０１９１Ｃ，１０１９２Ｃ，１０２５０Ｃ，１０２５１Ｃ，１０２６２Ｃ，１０２６３Ｃ，１０２６４Ｃ，１０４３５Ｃ，１０４３６Ｃ，１０３１０Ｃ１０３３４Ｃ，１０３３５Ｃ，１０３３６Ｃ，１０３３７Ｃ，１０３３８Ｃ，１０３４０Ｃ，１０３４１Ｃ，１０３４２Ｃ，１０３４３Ｃ，１０３４４Ｃ，１０３４５Ｃ，１０３４６Ｃ，１０３４７Ｃ，１０３４８Ｃ，１０３４９Ｃ，１０３５０Ｃ，１０３５１Ｃ，１０３５２Ｃ，１０３５３Ｃ，１０３５４Ｃ，１０３５５Ｃ，１０３５６Ｃ，１０３５７Ｃ，１０３５８Ｃ，１０３５９Ｃ，１０３６０Ｃ，１０３６１Ｃ，１０３６２Ｃ，１０３６３Ｃ，１０３６４Ｃ，１０３６５Ｃ，１０３６６Ｃ，１０３６７Ｃ，１０３６８Ｃ，１０３６９Ｃ，１０３７０Ｃ，１０３７１Ｃ，１０３７２Ｃ，１０３７３Ｃ，１０３７４Ｃ，１０３７５Ｃ，１０３７６Ｃ，１０３７８Ｃ，１０３７９Ｃ，１０３８０Ｃ，１０３８１Ｃ，１０４４６Ｃ，１０４４７Ｃ，１０４４８Ｃ，１０３８２Ｃ，１０３８３Ｃ，１０３８４Ｃ，１０４４９Ｃ，１０４５０Ｃ，１０４５１Ｃ，１０３８８Ｃ，１０３８９Ｃ，１０３９０Ｃ，１０３９１Ｃ，１０３９４Ｃ，１０３９５Ｃ，１０３９６Ｃ，８７１Ｃ，８７２Ｃ，８７３Ｃ，８７４Ｃ，８７５Ｃ，８７６Ｃ，８７７Ｃ，８００１Ｃ，８００２Ｃ，８００３Ｃ，８００４Ｃ，８００５Ｃ，８００６Ｃ，８０２０Ｃ，８０２１Ｃ，８０２２Ｃ，８０４０Ｃ，８０４１Ｃ，８０４２Ｃ，８０６０Ｃ，８０６１Ｃ，８０８０Ｃ，８１００Ｃ，８１２０Ｃ，８１２１Ｃ８１６０Ｃ，８１６１Ｃ，８１８０Ｃ，８２２０Ｃ，８２２１Ｃ，８２００Ｃ，８２０１Ｃ，８２８０Ｃ，８２８１Ｃ，８２４０Ｃ，８２４１Ｃ，８２６０Ｃ，８２６１Ｃ，８３００Ｃ，８３０１Ｃ，８３２０Ｃ，８３４０Ｃ，８３４１Ｃ，８３４２Ｃ，８３６０Ｃ，８３６１Ｃ，８３６２Ｃ，８３６３Ｃ，８３６４Ｃ，８３６５Ｃ，８３８０Ｃ，８３８１Ｃ，８３８２Ｃ，８３８３Ｃ，８３８４Ｃ，８３８５Ｃ，８４００Ｃ，８４０１Ｃ，８４０２Ｃ，８４０３Ｃ，８４２０Ｃ，８４２１Ｃ，８４２２Ｃ，８４２３Ｃ，８４４０Ｃ，８４４１Ｃ，８５００Ｃ，８４６０Ｃ，８４６１Ｃ，８４６２Ｃ，８５８０Ｃ，８６４０Ｃ，８６４１Ｃ，８６４２Ｃ，８６４３Ｃ，８６４４Ｃ，８６４５Ｃ，８６６０Ｃ，８６６１Ｃ，８６６２Ｃ，８６８０Ｃ，８７００Ｃ、である。
【００３８】
光沢層５０は、例えば、金属を含む箔又は塗料で形成される。箔は、金属を含む薄く平らな層である。箔としては、例えば、金属を叩いて薄く平らに延ばしたもの、薄く平らに延ばしたものに合成樹脂層などを積層したもの、金属を含む層状のものに合成樹脂層などを積層したものなどが挙げられる。金属を含む層状のものは、例えば、金属粉顔料含有塗布膜、金属蒸着膜である。塗料は、例えば、塗膜形成成分に金属粉顔料のような金属光沢を示す顔料又は染料を含むものが挙げられる。これらの各種の金属を含む材料において、光沢のために使用される金属としては、例えば、金、銀、銅、錫、真鍮、アルミニウムが挙げられる。
【００３９】
ここで、光沢層５０は、箔で形成されていることが好ましい。そのような箔は、塗料のような液状の材料と比較して、一定の形状・厚さを有している。そのため、箔を形成する下地の凹凸や空隙に影響され難く、光沢層５０を所望の厚さで比較的平滑に形成でき、光沢層５０の光沢度を所望の値に維持し易くできる。光沢層５０の厚さとしては、１〜１０００μｍが挙げられ、１０〜２００μｍが好ましい。光沢層５０の厚さが薄過ぎると下地の凹凸に影響され、光沢を維持できず、厚過ぎると触感が硬くなり着用者等に違和感を覚えさせる。
【００４０】
本実施形態では、箔の材料としては、ベースフィルム・離型層、着色層、蒸着層及び接着層の５つの層から構成された箔である。その箔は、箔押法（ホットスタンプ法）により被転写物に転写される。箔押法により、ベースフィルムを残して、離型層から接着層までが被転写物に転写される。したがって、この場合、光沢層５０の箔は、離型層から接着層までの部分ということができる。箔押法については後述される。
【００４１】
ベースフィルムは、離型層、着色層、蒸着層及び接着層を運ぶための層であり、例えば、所定の合成樹脂で形成される。離型層は、着色層、蒸着層及び接着層の各層をベースフィルムから離れ易くするための層であり、所定の合成樹脂で形成される。着色層は、箔の色を表現する層である。例えば、箔に金色を発現させたい場合、着色層としては、黄色の塗料を用いた塗布膜が例示される。蒸着層は、光沢を出す層である。例えば、箔に金色を発現させたい場合、蒸着層としては、着色層に蒸着されたアルミニウム薄膜や錫薄膜が例示される。アルミニウム薄膜又は錫薄膜（蒸着層）を蒸着された黄色の塗布膜（着色層）は、金色に見える。接着層は、蒸着層に接着剤を塗布して形成される。接着剤としては、箔が転写される被転写物によって適した種類が選択され、例えば、被転写物が不織布、ラミネート、フィルムの場合、それぞれに適した接着層が選定される。接着剤は熱と圧力によって被転写物に接着する。なお、箔の金属光沢の色を変更したい場合には、例えば着色層の色を変更する。なお、錫薄膜は、おむつ製造時などでの金属探知機による検査において、金属探知機の反応を回避できるので好ましい。
【００４２】
なお、光沢層５０としては、上記の例に限定されず、明るさが十分でない環境で、所定の光沢度を示すことができれば、必ずしも金属を含む箔又は塗料でなくてもよい。光沢層５０としては、例えば、光沢を有する顔料を含む塗料を用いた膜（例示：パール顔料含有塗布膜）や、ホログラムなどが挙げられる。
【００４３】
このようなテープ型おむつ１では、光沢層５０が箔で形成されているので、光沢層配置領域の光沢度が下地の凹凸の影響を受けることを抑制できる。それにより、テープ型おむつ１を使用しようとするとき、照明を明るくできない環境においても、光沢層５０を容易に確認することができる。したがって、明るさが十分でない環境においてもテープ型おむつ１の交換を容易にすることができる。
【００４４】
本実施形態では、一対の係合テープ７ａ、７ｂは、非肌側の表面に、他のパターンを有する他の光沢層５２ａ、５２ｂを備える。他の光沢層５２ａ、５２ｂの構成は、配置される位置が異なる他は、上記の光沢層５０の構成と同様である。他の光沢層５２ａ、５２ｂは、光沢層５０と同一でよく、上記の光沢層５０の構成の範囲で互いに相違してもよい。
【００４５】
本実施形態では、ターゲットテープ領域ＡＡは、詳細には、幅方向Ｗにおいて、中央に位置する中央部分ＡＣと、中央部分ＡＣの両側に位置する一方の側部分ＡＥａ及び他方の側部分ＡＥｂと、を有している。ターゲットテープ１８は、一方の側部分ＡＥａに位置する第１テープ部１８ａと、他方の側部分ＡＥｂに位置し、第１テープ部１８ａと幅方向Ｗに離間する第２テープ部１８ｂと、を含む。すなわち、ターゲットテープ１８は、第１テープ部１８ａと、第２テープ部１８ｂとに分離している。このとき、光沢層５０は、ターゲットテープ領域ＡＡの中央部分ＡＣに位置している。そして、一対の係合テープ７ａ、７ｂは、テープ型おむつ１の着用時に、ターゲットテープ領域ＡＡの一方の側部分ＡＥａ及び他方の側部分ＡＥｂに係合される。
【００４６】
この場合、図４に示すように、テープ型おむつ１は、着用時に、ターゲットテープ領域ＡＡにおける幅方向Ｗの両側部分ＡＥａ、ＡＥｂに一対の係合テープ７ａ、７ｂが係合される。すなわち、幅方向Ｗにおいて、ターゲットテープ領域ＡＡにおいて、中央部分ＡＣに光沢層５０が位置し、その両側に他の光沢層５２ａ、５２ｂが位置するようにテープ型おむつ１を着用することで、正しく着用できたことになる。このようにして、このテープ型おむつ１では、ターゲットテープ１８上の最適な位置に一対の係合テープ７ａ、７ｂを配置するように誘導できる。そのため、照明を明るくできない環境においても、テープ型おむつ１のターゲットテープ１８及び一対の係合テープ７ａ、７ｂの位置をそれぞれ容易に認識して、一対の係合テープ７ａ、７ｂをターゲットテープ１８に最適な位置に容易に係合することができる。
【００４７】
また、他の光沢層５２ａ、光沢層５０、及び他の光沢層５２ｂは、この順で並ぶことで完成される一まとまりのパターンで表現されてもよい。その場合、テープ型おむつ１の着用時に、ターゲットテープ１８上に幅方向Ｗに沿って、他の光沢層５２ａ、光沢層５０及び他の光沢層５２ｂがこの順で並ぶことで、係合したときに初めて完成されるパターン表現により、テープ型おむつ１の高いデザイン性及び高級感を演出することができる。
【００４８】
なお、光沢層５０は、腹側部２、背側部３及び股間部４における任意の複数の箇所に、間欠的又は連続的に配置されてもよく、腹側部２、背側部３及び股間部４のいくつかに跨って配置されてもよい。例えば、光沢層５０が、一方の係合テープ７ａから、ターゲットテープ１８を経由して、他方の係合テープ７ｂまで、間欠的又は連続的に配置されることで、ウエスト開口部を囲む金のベルトのような高級感の溢れる図案とすることもできる。
【００４９】
本実施形態では、光沢層５０は、基材２０と、光沢形成層５１と、を含む。基材２０は、外装シート５上に位置する。光沢形成層５１は、基材２０上に位置し、パターンを構成し、光沢を有する。したがって、光沢形成層５１は、光沢層５０のうちの金属を含む箔又は塗料で形成される部分といえる。光沢形成層５１は、幅方向Ｗにおいて、第１テープ部１８ａと第２テープ部１８ｂとの間に位置する。基材２０は、幅方向Ｗの両側に延在しており、第１テープ部１８ａ及び第２テープ部１８ｂは、基材２０上に位置する。
【００５０】
このように、テープ型おむつ１では、光沢形成層５１が基材２０に支持され、かつ、光沢形成層５１の両側に位置する第１テープ部１８ａ及び第２テープ部１８ｂが基材２０に支持されている。そのため、光沢形成層５１の平滑性が、下地の凹凸や周辺の第１テープ部１８ａ及び第２テープ部１８ｂの下地の凹凸の影響を受けることを抑制でき、光沢形成層５１の光沢を維持できる。それにより、光沢層配置領域の光沢度が、下地の凹凸の影響を受けることを抑制できる。したがって、テープ型おむつ１を使用しようとするとき、照明を明るくできない環境においても、光沢層５０を容易に確認することができる。したがって、明るさが十分でない環境でもテープ型おむつ１の交換を容易にすることができる。
【００５１】
なお、一対の係合テープ７ａ、７ｂの光沢層５２ａ、５２ｂについても、光沢層５０と同様に、基材と光沢形成層とが積層された構成を有してもよい。すなわち、光沢層５２ａ、５２ｂの各々は、一対の係合テープ７ａ、７ｂの各々上に位置する基材と、基材上に位置し、パターンを構成し、光沢を有する光沢形成層とを含んでいてもよい。
【００５２】
ここで、基材２０としては、例えば、スパンボンド不織布やエアスルー不織布やＳＭＳ不織布のような不織布が挙げられる。不織布の材料としては、特に制限はなく、例えばポリエチレン、ポリプロピレン、ポリエチレンテレフタレートのような合成樹脂が挙げられる。その場合、不織布の厚さは、例えば０．０２〜２ｍｍが挙げられ、０．０５〜１ｍｍが好ましい。薄過ぎると光沢層５０の材料が不織布を抜け易くなるなど光沢層５０の形成が難しくなり、厚過ぎると光沢層５０が製品の表面から突出し過ぎるおそれがある。不織布の密度としては、下限は例えば０．０４ｇ／ｃｍ３が挙げられ、０．０７ｇ／ｃｍ３が好ましく、０．０９ｇ／ｃｍがより好ましい。上限は例えば２ｇ／ｃｍ３が挙げられ、１ｇ／ｃｍ３が好ましく、０．５ｇ／ｃｍ３がより好ましい。密度が低過ぎると、繊維間に空隙が多くなり、繊維が存在しない部分で光沢層５０も凹凸ができ、光沢度が下がり易く、かつ、剥がれ易くなる。密度が高過ぎると、基材２０が硬くなり、触感が悪くなり易い。この基材２０により、光沢形成層５１の平滑性が、基材２０よりも下方の下地の凹凸の影響を受けることをより抑制できる。それゆえ、光沢形成層５１が不織布の上にムラなく接合され、剥がれ難くすることができる。更に、光沢層配置領域の光沢度が、下地の凹凸の影響を受けることをより抑制できる。したがって、テープ型おむつ１を使用しようとするとき、照明を明るくできない環境においても、光沢層５０をより容易に確認できる。
【００５３】
ここで、基材２０として不織布を用いる場合、その不織布は、光沢形成層５１と反対側の面に積層（ラミネート）されたフィルム（図示されず）を含んでもよい。フィルムの材料としては、特に制限はなく、例えば合成樹脂が挙げられる。その場合、光沢形成層５１の平滑性が、基材２０よりも下方の下地の凹凸の影響を受けることをより抑制できる。それゆえ、光沢形成層５１が不織布の上にムラなく接合され、剥がれ難くすることができる。更に、光沢層配置領域の光沢度が、基材よりも下方の下地の凹凸の影響を受けることをより抑制できる。すなわち、フィルムが無い場合と比較して、光沢層５０の光沢度を高めることができる。それにより、テープ型おむつ１を使用しようとするとき、照明を明るくできない環境においても、光沢層をより容易に確認することができる。また、基材２０の厚さが、積層されたフィルム分だけ厚くなるので、光沢形成層５１用の箔押工程の際に、箔と基材２０との間に圧力が加わり易く、箔が基材２０に載り易くなる。
【００５４】
ここで、基材２０として不織布を用いる場合、その不織布は、熱プレスされていてもよい。その場合、不織布の繊維が熱融着・熱圧着することで、基材２０の平滑性を向上できる。それゆえ、光沢形成層５１の平滑性が、基材２０よりも下方の下地の凹凸の影響を受けることをより抑制できる。それゆえ、光沢形成層５１が不織布の上にムラなく接合され、剥がれ難くすることができる。更に、光沢層配置領域の光沢度が、基材２０よりも下方の下地の凹凸の影響を受けて低下することをより抑制できる。すなわち、熱プレスされていない場合と比較して、光沢層５０の光沢度を高めることができる。それにより、テープ型おむつ１を使用しようとするとき、照明を明るくできない環境においても、光沢層５０をより容易に確認することができる。また、基材２０が熱プレスなどで平滑化されている場合（基材２０が元々平滑な場合を含む）、光沢形成層５１を含めて光沢層５０全体が非常に平滑になるため、触覚的にも光沢層５０をより容易に確認することができる。
【００５５】
ここで、基材２０として不織布を用いる場合、その不織布と光沢形成層５１との間にベースコート層（図示されず）を更に備えてもよい。その場合、不織布の表面がベースコートで覆われて、基材の平滑性を向上できる。それゆえ、光沢層配置領域の光沢度が、基材２０よりも下方の下地の凹凸の影響を受けることをより抑制できる。すなわち、ベースコート層が無い場合と比較して、光沢層５０の光沢度を高めることができる。それにより、テープ型おむつ１を使用しようとするとき、照明を明るくできない環境においても、光沢層５０をより容易に確認することができる。また、不織布と光沢形成層５１との間の接合強度を高めることができる。
【００５６】
ここで、基材２０として不織布を用いる場合、その不織布上の光沢形成層５１の上にトップコート層を（図示されず）更に備えてもよい。その場合、光沢形成層５１の上にトップコート層を備えているので、光沢形成層５１の変形が抑制され、凹凸や皺が形成され難くすることができる。そのため、光沢層配置領域の光沢度が、光沢形成層５１の表面の平滑性が維持されるため、光沢層５０の光沢度を維持することができる。すなわち、トップコート層が無い場合と比較して、光沢層５０の光沢度を高めることができる。それにより、テープ型おむつ１を使用しようとするとき、照明を明るくできない環境においても、光沢層５０を容易に確認することができる。また、トップコート層で不織布を保護することができ、光沢層５０（光沢形成層５１）の剥がれを抑制できる。
【００５７】
ターゲットテープ１８及び光沢層５０の構成は、上記の例に限定されるものではなく、明るさが十分でない環境において、光沢層５０を容易に確認でき、よってターゲットテープ１８の位置を容易に確認できれば、以下に例示されるような、他の構成でもよい。
【００５８】
図５は、実施形態に係るテープ型おむつ１の他の構成例を示す断面図である。このテープ型おむつ１では、基材２０が、幅方向Ｗの両側に延在せず、光沢形成層５１の下側にのみ存在し、第１テープ部１８ａ及び第２テープ部１８ｂの下側に存在しない。このテープ型おむつ１では、光沢層５０の光沢形成層５１が基材２０に支持されている。そのため、光沢形成層５１の平滑性が、下地の凹凸の影響を受けることを抑制でき、光沢形成層５１の光沢を維持できる。それにより、光沢層配置領域の光沢度が、光沢形成層の下地の凹凸の影響を受けることを抑制できる。更に、光沢形成層５１が第１テープ部１８ａ及び第２テープ部１８ｂよりも基材２０だけ高い位置にあり、適度に飛び出している。これらにより、テープ型おむつ１を使用しようとするとき、照明を明るくできない環境においても、光沢層５０を容易に確認することができる。したがって、明るさが十分でない環境においてもテープ型おむつ１の交換を容易にすることができる。また、ターゲットテープ１８（第１テープ部１８ａ＋第２テープ部１８ｂ）でない基材２０に光沢形成層５１を形成したことで、光沢形成層５１の上に一対の係合テープ７ａ、７ｂの各々を係合することがない。これにより、係合による光沢形成層５１の剥がれや、係合したあと光沢形成層５１が見えなくなることを抑制できる。
【００５９】
図６は、実施形態に係るテープ型おむつ１の他の構成例を示す断面図である。このテープ型おむつ１では、基材２０は、ターゲットテープ１８の一部である。すなわち、ターゲットテープ１８の一部が基材２０として機能している。そして、光沢形成層５１は、ターゲットテープ１８の幅方向Ｗの中央部分（ターゲットテープ領域ＡＡの中央部分ＡＣ）に配置されている。この場合、光沢層５０の光沢形成層５１がターゲットテープ１８に支持されている。そのため、光沢形成層５１の平滑性が、下地の凹凸の影響を受けることを抑制でき、光沢形成層５１の光沢を維持できる。それゆえ、光沢層配置領域の光沢度が、光沢形成層５１の下地の凹凸の影響を受けることを抑制できる。それにより、テープ型おむつ１を使用しようとするとき、照明を明るくできない環境においても、光沢層５０を容易に確認することができる。したがって、明るさが十分でない環境においてもテープ型おむつ１の交換を容易にすることができる。また、ターゲットテープ１８に、光沢形成層５１を形成したことで、光沢形成層５１を視認した後、光沢形成層５１及びその周囲の上にも一対の係合テープ７ａ、７ｂを係合でき、係合のためにより広い領域を確保できる。これにより、ターゲットテープ１８と一対の係合テープ７ａ、７ｂとの係合をより安定化させることができる。なお、光沢形成層５１とターゲットテープ１８との間に、図５のような光沢形成層５１と概ね同じ大きさの基材２０が介在してもよい。
【００６０】
図７は、実施形態に係るテープ型おむつ１の他の構成例を示す断面図である。このテープ型おむつ１では、基材２０は、非肌側の表面の外装シート５の一部である。すなわち、外装シート５の一部が基材２０として機能している。この場合、光沢形成層５１と、ターゲットテープ１８の第１テープ部１８ａ及び第２テープ部１８ｂとが外装シート５に支持されている。そのため、光沢形成層５１の平滑性が、下地の凹凸の影響を受けることを抑制でき、光沢形成層５１の光沢を維持できる。そのため、光沢層配置領域の光沢度が、光沢形成層５１の下地の凹凸や周辺の第１テープ部１８ａ及び第２テープ部１８ｂの下地の凹凸の影響を受けることをより抑制できる。それにより、テープ型おむつ１を使用しようとするとき、照明を明るくできない環境でも、光沢層５０をより容易に確認することができる。したがって、明るさが十分でない環境においてもテープ型おむつ１の交換を容易にすることができる。なお、この場合、外装シート５が無く、裏面シート１３が非肌側の表面を構成している場合には、基材２０は、非肌側の表面の裏面シート１３の一部である。
【００６１】
上記の各構成例では、ターゲットテープ１８及び一対の係合テープ７ａ、７ｂに、それぞれ光沢層５０及び光沢層５２ａ、５２ｂを備えているが、光沢層の配置はそれらの例に限定されず、ターゲットテープ１８及び一対の係合テープ７ａ、７ｂのいずれか一方のみに光沢層が配置されてもよい。例えば、テープ型おむつ１において、ターゲットテープ１８に光沢層が存在せず、一対の係合テープ７ａ、７ｂに光沢層５２ａ、５２ｂが存在する場合、照明を明るくできない環境においても、テープ型おむつ１の一対の係合テープ７ａ、７ｂの位置を容易に認識することができる。特に、一対の係合テープ７ａ、７ｂはテープ型おむつ１の交換時に体の下に敷き込まれ易く、照明を明るくできない環境では視認が難しい。それゆえ、一対の係合テープ７ａ、７ｂが光沢層５２ａ、５２ｂにより視認し易くなることで、テープ型おむつ１の交換を容易にすることができる。
【００６２】
次に、テープ型おむつ１の製造方法における光沢層５０の形成方法について説明する。
光沢層５０の形成方法としては、所定の光沢層５０が形成可能であれば、特に制限はない。その形成方法としては、例えば、（１）基材２０用のシート部材を準備する工程、（２）そのシート部材の表面に光沢形成層５１用の材料（箔：箔、塗料）を配置する工程、（３）そのシート部材における光沢形成層５１が配置された部分を切り取る工程、（４）切り取られた部分を所定の下地シート部材に配置する工程、を備える。
【００６３】
ただし、上記（１）工程で準備される基材２０用のシート部材としては、例えば、基材２０專用のシート部材（例示：図３及び図５の場合）、ターゲットテープ１８用のシート部材（例示：図６の場合）、係合テープ７用のシート部材（例示：図２の場合）、外装シート５用のシート部材（例示：図７の場合）、裏面シート１３用のシート部材、それらシート部材を熱プレスしたもの、などが挙げられる。ここで、基材２０用のシート部材が基材２０專用のシート部材の場合、上記（４）工程の下地シート部材は外装シート５用、裏面シート１３用、係合テープ７用又はターゲットテープ１８用のシート部材である。基材２０用のシート部材がターゲットテープ１８用のシート部材の場合、上記（４）工程の下地シート部材は外装シート５用又は裏面シート１３用のシート部材である。基材２０用のシート部材が係合テープ７用、外装シート５用又は裏面シート１３用のシート部材の場合、光沢層５０の形成のための上記（３）及び（４）の工程は不要である。
【００６４】
テープ型おむつ１の製造方法（における光沢層５０の形成方法）のうち、上記（２）の工程は、平滑化工程と、形成工程と、を備えている。平滑化工程は、非肌側の表面用のシート部材（例示：基材２０用のシート部材）の表面を平滑化する。形成工程は、平滑化されたシート部材の表面に、パターンを有する光沢層（例示：光沢形成層５１）を形成する。そのとき、光沢層を含む光沢層配置領域の光沢度が７以上になる。
【００６５】
ここで、平滑化工程は、シート部材に熱を加える熱処理工程と、シート部材に圧力を加える圧力工程と、を含んでもよい（熱プレス）。熱処理工程としては、例えば、一対の加熱ロールの間にシート部材を通す工程が挙げられる。加熱ロールの温度としては、シート部材の材料の軟化点以上、融点以下が好ましい。具体的には、シート部材の材料にもよるが、例えば、８０〜１８０℃が挙げられ、９０〜１５０℃が好ましい。また、加熱の時間としては、例えば０．０１〜２秒が挙げられ、０．０５〜０．１秒が好ましい。圧力工程としては、例えば、一対の加圧ロールの間にシート部材を通す工程が挙げられる。加圧ロールの圧力としては、例えば、０．１〜５ＭＰａが挙げられ、０．３〜３ＭＰａが好ましい。また、加圧の時間としては、例えば０．０１〜２秒が挙げられ、０．０５〜０．１秒が好ましい。ただし、熱処理工程と圧力工程とを同時に行ってもよい。その場合、例えば、一対のロールの間にシート部材を通す工程が挙げられる。ロールの温度、ロールの圧力、加熱又は加圧の時間は、上記のとおりである。
【００６６】
なお、「軟化点」及び「融点」は、それぞれ、示差走査熱量分析計において、昇温速度１０℃／分で、固体状から液状に変化する吸熱挙動を測定する際の、「吸熱開始温度」及び「ピークトップ温度」を意味する。
【００６７】
平滑化工程によりシート部材の平滑性を高めることができる。シート部材の平滑性の指標としては、シート部材の密度を用いる。不織布のようなシート部材では、密度が高まることで、繊維間の距離が短くなり繊維同士が近接して表面の凹凸が低減され、よって平滑化が進むといえるからである。平滑化工程後のシート部材の密度としては、平滑化工程前の密度の約２倍以上の密度となるのが好ましい。具体的なシート部材の密度としては、例えば０．０７ｇ／ｃｍ３以上が好ましく、０．０９ｇ／ｃｍ３以上がより好ましく、０．２ｇ／ｃｍ３以上であることが更により好ましい。
【００６８】
一方、形成工程は、平滑化されたシート部材の表面に、パターンを有する金属を含む箔を熱圧着する箔押工程、又は、平滑化されたシート部材の表面に、金属を含む塗料でパターンを印刷する印刷工程、を含む。
【００６９】
箔押工程は、熱と圧力によりに、箔を被転写物（例示：シート部材）に押し付けて、箔の色彩を有する層（例示：金属箔そのもの、５層の箔の着色層と蒸着層）を被転写物に熱圧着する方法である。その箔押法は、通常の印刷と違い、メタリック色（金属光沢）を被転写物上に容易に表現でき、かつ、溶剤を使わないドライメソッドであり、好ましい。なお、上記の５層の箔では、箔押法により、ベースフィルムを残して、離型層から接着層までが被転写物に転写される。ただし、形成工程として箔押工程を用いる場合、一定の形状・厚さを有し、下地の平滑性に影響され難いという箔の特性から、平滑化は必ずしも行う必要はない。
【００７０】
印刷工程は、特に制限はなく、例えば、パッド印刷、グラビア印刷、フレキソ印刷、スクリーン印刷、インクジェット印刷、捺染印刷が挙げられ、中でも、パッド印刷が好ましい。その理由は、弾力のあるシリコンパッドで印刷するため、不織布の表面のような凹凸のある面にも印刷が可能であることや、複数回、同じ箇所に転写印刷ができるため、膜厚増加が可能となり、印刷なのに膜厚を厚くすることができ、光沢感を高め易いからである。なお、印刷工程の場合、光沢層５０（光沢形成層５１）を所望の厚さにするために、印刷工程を複数回繰り返してもよい。
【００７１】
なお、形成工程の前に、平滑化されたシート部材の表面にベースコート層を形成する工程を有してもよい。また、印刷工程の後に、光沢形成層５１上にトップコート層を形成する工程を有してもよい。
【００７２】
このようなテープ型おむつ１の製造方法では、シート部材の表面を平滑化してから、光沢層５０（光沢形成層５１）を形成するので、光沢層５０（光沢形成層５１）を含む光沢層配置領域の光沢度を確実に７以上にすることができる。そのため、明るさが十分でない環境においてもテープ型おむつ１の交換を容易にすることができるテープ型おむつ１を製造できる。
【００７３】
（第２実施形態）
図８は、実施形態に係るパンツ型おむつ１ａの構成例を示す平面図である。本実施形態では、パンツ型おむつ１ａは、長手方向Ｌに沿って並んだ、前側に位置する腹側部（腹側ウエストベルト）２と、後側に位置する背側部（背側ウエストベルト）３と、腹側部２と背側部３との間に位置する股間部４と、を有する（に区画される）。腹側部２は、装着者の腹部に当接する部分である。背側部３は、装着者の尻部又は背部に当接する部分である。股間部４は装着者の股間に当接する部分であり、幅方向Ｗの内側に括れている。パンツ型おむつ１ａは、吸収性本体１０と、外装シート５と、を備える。吸収性本体１０は、吸収体１４を含み、長手方向Ｌには腹側部２から股間部４を介して背側部３までの範囲に位置し、幅方向Ｗには略一定の幅の範囲に位置し、したがって略矩形形状を有する。吸収性本体１０の構成は、略矩形形状を有する他は、第１実施形態の吸収性本体１０の構成と同じである。外装シート５は、肌側に位置する外装シートと非肌側に位置する外装シートとを含む２層構造を有する。
【００７４】
腹側部２及び背側部３は、２層の外装シートの間に、それぞれウェストギャザー用の複数の弾性部材７０ａ、７０ｂ及び複数の弾性部材７１ａ、７１ｂを備える。複数の弾性部材７０ａ、７０ｂは、それぞれ腹側部２の長手方向Ｌの外側及び内側に配置される。複数の弾性部材７０ａは、長手方向中心線ＣＬを挟んで両側のそれぞれの所定領域において、幅方向Ｗに沿って、長手方向Ｌに互いに間隔を空けて配置される。所定領域は、幅方向Ｗにおいて、端部２ａから吸収性本体１０における端部２ａに対向する端縁の内側の部分までの領域である。複数の弾性部材７０ｂは、幅方向Ｗに沿って、一方の端部２ａから他方の端部２ａまで延び、長手方向Ｌに互いに間隔を空けて配置される。同様に、複数の弾性部材７１ａ、７１ｂは、それぞれ背側部３の長手方向Ｌの外側及び内側に配置される。複数の弾性部材７１ａは、長手方向中心線ＣＬを挟んで両側のそれぞれの所定領域において、幅方向Ｗに沿って、長手方向Ｌに互いに間隔を空けて配置される。所定領域は、幅方向Ｗにおいて、端部３ａから吸収性本体１０における端部３ａに対向する端縁の内側の部分までの領域である。複数の弾性部材７１ｂは、幅方向Ｗに沿って、一方の端部３ａから他方の端部３ａまで延び、長手方向Ｌに互いに間隔を空けて配置される。複数の弾性部材７０ａ、７０ｂ、７１ａ、７１ｂは、ウエスト開口部を伸縮させるものであり、糸ゴムに例示される。なお、腹側部２及び背側部３は、複数の弾性部材７０ａ、７０ｂ、７１ａ、７１ｂが配置された長手方向Ｌの範囲で画定される部分ともいえる。
【００７５】
図９は、実施形態に係るパンツ型おむつ１ａの腹側部２を含む部分拡大下面図（非肌側から見た図）である。本実施形態では、腹側部２は、幅方向Ｗの伸縮性が低い腹側低伸縮域３１と、幅方向Ｗの伸縮性が高い腹側高伸縮域３２と、を有する。腹側低伸縮域３１は、腹側部２における、幅方向Ｗの中央部に位置し、長手方向Ｌの前側の端縁から後側に延設される略矩形の領域である。腹側高伸縮域３２は、腹側低伸縮域３１の幅方向Ｗの両側、及び、長手方向Ｌの後側に隣接する領域である。腹側低伸縮域３１は、幅方向Ｗの所定の引張力に対する伸び率（（伸長後の長さ−元の長さ）／（元の長さ））が、腹側高伸縮域３２の幅方向Ｗの伸び率の１／３以下の領域であり、好ましくは１／５以下の領域であり、より好ましくは１／１０以下の領域である。例えば、腹側低伸縮域３１は、幅方向Ｗに伸縮する弾性部材が存在しない領域、又は、弾性部材は存在するがその弾性部材は弾性部材としてあまり機能しない（あまり伸縮しない）領域、である。一方、腹側高伸縮域３２は、幅方向Ｗに伸縮する弾性部材７０ａ、７０ｂが存在する領域である。したがって、弾性部材として機能し得る弾性部材７０ａ、７０ｂが存在する領域と、弾性部材として機能し得る弾性部材が存在しない領域とにより、腹側高伸縮域３２と腹側低伸縮域３１とが画定される。なお、伸縮性が「低い」とは、伸縮しない場合を含む。なお、各伸縮域の伸縮性は、弾性部材の伸縮性により判断する。
【００７６】
パンツ型おむつ１ａは、腹側部２の腹側低伸縮域３１の表面、したがって外装シート５の表面に、光沢層５０を備えている。本実施形態では、光沢層５０は、外装シート５に積層された基材２０と、基材２０に積層された光沢形成層５１と、を含んでいる。ただし、基材２０は無くてもよく、光沢形成層５１が外装シート５に直接積層されてもよい。光沢層５０、基材２０及び光沢形成層５１の構成については、第１実施形態と同様である。
【００７７】
図１０は、実施形態に係るパンツ型おむつの背側部３を含む部分拡大下面図（非肌側から見た図）である。本実施形態では、背側部３に、幅方向Ｗの伸縮性が低い背側低伸縮域３５と、幅方向Ｗの伸縮性が高い背側高伸縮域３６と、を有する。背側低伸縮域３５及び背側高伸縮域３６の構成は、背側部３に位置する他は、腹側部２の腹側低伸縮域３１及び腹側高伸縮域３２の構成と同じである。なお、パンツ型おむつ１ａは、背側部３の背側低伸縮域３５の表面、すなわち外装シート５の表面に、光沢層５０を備えてもよい（図示されず）。
【００７８】
このパンツ型おむつ１ａでは、光沢層５０が腹側部２及び背側部３の少なくとも一方における腹側低伸縮域３１及び背側低伸縮域３５の少なくとも一方の非肌側に位置している。それゆえ、光沢層５０の収縮を抑制でき、凹凸や皺を形成し難くすることができる。そのため、照明を明るくできない環境においても、パンツ型おむつ１ａの腹側部２又は背側部３の位置を容易に認識でき、パンツ型おむつ１ａの交換を容易にできる。
【００７９】
本実施形態では、パンツ型おむつ１ａは、背側部３における幅方向Ｗの中央部の非肌面側の表面に配置された後処理テープ８０を更に備えている。後処理テープ８０は、背側部３における幅方向Ｗの中央部の非肌面側の表面に位置するテープ固定領域ＴＡに配置・固定される。
【００８０】
パンツ型おむつ１ａは、背側部３の後処理テープ８０の表面に、光沢層５０ａを備えている。本実施形態では、光沢層５０ａは、後処理テープ８０に積層された基材２０ａと、基材２０ａに積層された光沢形成層５１ａと、を含んでいる。ただし、基材２０ａは無くてもよく、光沢形成層５１ａが後処理テープ８０に直接積層されてもよい。光沢層５０ａ、基材２０ａ及び光沢形成層５１ａの構成については、第１実施形態の光沢層５０、基材２０及び光沢形成層５１の構成と同様である。
【００８１】
このパンツ型おむつ１ａでは、光沢層５０ａが後処理テープ８０に位置している。それゆえ、照明を明るくできない環境においても、パンツ型おむつ１ａの後処理テープ８０の位置を容易に認識することができる。それにより、パンツ型おむつ１ａの交換時に、使用済みのパンツ型おむつ１ａを丸めた状態で、後処理テープ８０で適切に処置することができで、パンツ型おむつ１ａの交換を容易にすることができる。
【実施例】
【００８２】
以下、実施例に基づき、本発明を説明するが、本発明は本実施例に限定されない。本実施例では、不織布上の光沢層について検討した。
【００８３】
（１）加工適性評価
（１−１）試料
光沢層を形成する下地（第１基材に相当）として、密度（予め計測）の異なる複数の不織布を用意した。そして、複数の不織布の各々に金色の箔（５層）で箔押しを行い、複数の下地付きの光沢層を形成した。
【００８４】
（１−２）評価方法
各試料の加工適性を評価した。加工適性は、目視で、箔の剥がれ、箔の浮き上がり、及び、箔の破れの有無や程度を検査した。ただし、評価は、×：不良（剥がれや浮き上がりや破れが多い）、〇：良好（剥がれや浮き上がりや破れが少ない）、◎：剥がれや浮き上がりや破れが確認できない、とした。
【００８５】
（１−３）評価結果
加工適性の評価結果を以下の表１に示す。下地の不織布の密度が０．０４ｇ／ｃｍ３以上のときに、剥がれや浮き上がりや破れが少ない光沢層を形成できることが判明した。また、密度が高いほど、剥がれや浮き上がりや破れが生じ難くなることが判明した。そして、密度は、好ましくは０．０７〜１．０ｇ／ｃｍ３であり、より好ましくは０．０９〜０．５ｇ／ｃｍ３であり、更に好ましくは、０．０９〜０．１５ｇ／ｃｍ３であることが分かった。
【００８６】
【表１】
0006840192.tif 000002
ただし、不織布の種類は以下のとおりである。
ＳＢ：スパンボンド不織布、ＳＭＳ：スパンボンド−メルトブローン−スパンボンド不織布、ＡＴ：エアスルー不織布
【００８７】
（２）光沢度評価
（２−１）試料
各試料を以下のように作成した。ただし、ＳＢ不織布は、坪量２２ｇ／ｍ２、密度０．０９ｇ／ｃｍ３のものを用意した
比較例５：フィルム（裏面シート用）を下地として、黄土色の塗料でフレキソ印刷により印刷層を配置し、印刷層の上に、ＳＢ不織布（外装シート用）を配置した。
比較例６：フィルムを下地として、金色の塗料でフレキソ印刷により光沢層を配置し、光沢層の上にＳＢ不織布を配置した。
実施例１１：ＳＢ不織布を下地として、金色の塗料でパッド印刷により光沢層を形成した。
実施例１２〜１５：ＳＢ不織布を下地として、金色の箔（５層）で箔押しにより光沢層を形成した。ただし、箔押しの圧力を、実施例１２で最も低くし、徐々に高めて、実施例１５で最も高くした。
【００８８】
（２−２）評価方法
各試料の光沢度を測定し、更に、官能試験を行った。ただし、光沢度は、グロスチェッカーＩＧ−３３１（株式会社堀場製作所製）で計測した。グロスチェッカーＩＧ−３３１における入射角及び受光角はいずれも６０℃であり、測定面積は長径６ｍｍ×短径３ｍｍの楕円であった。測定時には、下地の下に白色の上質紙を配置し、測定面積に光沢層が最大限含まれるようにした。同一の測定箇所につき、複数回（例示：１０回）の測定を行い、その平均値を光沢度とした。また、官能評価として、豆電球下の９ルクスにおいて、光沢層が視認可能かを評価した。ただし、評価は、×：不良（視認できない；光沢層のパターンを判別困難）、〇：良好：（視認可能；光沢層のパターンを判別可能）、◎：優良（良好に視認可能；光沢層のパターンを容易に判別可能）、とした。
【００８９】
（２−３）評価結果
光沢度の評価結果を以下の表２に示す。光沢度が７以上のときに、光沢層を視認できること、すなわち光沢層のパターンを判別できることが判明した。また、光沢度が高くなるほど、光沢層を良好に視認できること、すなわち光沢層のパターンを容易に判別できることが判明した。そして、光沢度は、好ましくは１０以上、より好ましくは２０以上、更に好ましくは３０以上であることが分かった。他の種類の不織布も概ね同じ結果であった。
【００９０】
【表２】
0006840192.tif 000003
【００９１】
本発明の吸収性物品は、上述した各実施形態に制限されることなく、本発明の目的、趣旨を逸脱しない範囲内において、各実施形態同士を組合せることや公知技術を適用すること等が可能である。
【符号の説明】
【００９２】
１    テープ型おむつ
１ａ    パンツ型おむつ
５０、５０ａ、５２ａ、５２ｂ    光沢層
【図１】
0006840192.tif 000004
【図２】
0006840192.tif 000005
【図３】
0006840192.tif 000006
【図４】
0006840192.tif 000007
【図５】
0006840192.tif 000008
【図６】
0006840192.tif 000009
【図７】
0006840192.tif 000010
【図８】
0006840192.tif 000011
【図９】
0006840192.tif 000012
【図１０】
0006840192.tif 000013